(57)【特許請求の範囲】
【請求項１】
光源が取り付けられる器具本体と、器具本体の前方にカバー部材を着脱可能に有する照明器具であって、
前記光源は両端に口金を有するランプであり、前記器具本体は、前記ランプにおける前記両端の口金が装着されるソケットを有し、
前記カバー部材は、一部に開口部を有する遮光板であり、
前記器具本体に、前記ランプに供給する電力をオン・オフ切替えする第１のスイッチおよび第２のスイッチを設けるとともに、前記遮光板に前記第１のスイッチおよび前記第２のスイッチをオンにするための押圧部を設け、
前記遮光板を前記器具本体に装着した際には前記第１のスイッチおよび前記第２のスイッチはオンとなって前記ランプに電力を供給し、前記遮光板を前記器具本体から取り外した際には前記第１のスイッチおよび前記第２のスイッチがオフとなって電力の供給を停止し、
前記押圧部は、前記遮光板の内壁に設けられた、一つの幅広の押圧片であり、
前記遮光板が前記器具本体に装着された状態において、前記一つの幅広の押圧片は、その弾性力でもって前記第１のスイッチおよび前記第２のスイッチを押圧することを特徴とする照明器具。
【発明の詳細な説明】
【技術分野】
【０００１】
本発明は、光源が取り付けられる器具本体の前方に、カバー部材を着脱可能に有する照明器具に関するものである。
【背景技術】
【０００２】
従来より、器具本体の前方に、カバー部材を着脱可能に有する照明器具が知られている（例えば特許文献１参照）。
図５に示すように、特許文献１に記載の照明器具１００は、冷蔵庫１０１の内部に設けられた照明であり、冷蔵庫１０１の扉を開けることにより、照明灯１０２が点灯するようになっている。照明灯１０２は保護カバー１０３で覆われており、保護カバー１０３は着脱可能となっている。保護カバー１０３の内部にはスイッチ１０４が設けられており、保護カバー１０３を取り付けた状態でスイッチ１０４はオンとなるので、扉を開けた際に点灯可能となる。一方、保護カバー１０３を開くと、スイッチ１０４がオフとなるので、照明灯１０２の交換時等に電流を断つことができる。
【特許文献１】特開平５−３２５６２８号公報（第１図）
【発明の開示】
【発明が解決しようとする課題】
【０００３】
ところで、図６に示す照明器具１０５のように、両端に口金１０６ａを有する白熱灯ランプ１０６をソケット１０７に装着するものでは、ランプ１０６およびソケット１０７が露出して用いられる場合がある。このような場合においてランプ１０６を交換する場合に、図７に示すように、一方の口金１０６ａがソケット１０７に固定され、他方の口金１０６ｂがフリー状態となる場合がある。このとき、電源オンの通電状態でフリーの口金１０６ｂに作業者が触れると、感電するおそれがある。
【０００４】
本発明は、従来の問題を解決するためになされたもので、光源を交換する際に確実に電流を断つことができる照明器具を提供することを目的とする。
【課題を解決するための手段】
【０００５】
本発明の照明器具は、光源が取り付けられる器具本体と、器具本体の前方にカバー部材を着脱可能に有する照明器具であって、前記光源は両端に口金を有するランプであり、前記器具本体は、前記ランプにおける前記両端の口金が装着されるソケットを有し、前記カバー部材は、一部に開口部を有する遮光板であり、前記器具本体に、前記ランプに供給する電力をオン・オフ切替えする第１のスイッチおよび第２のスイッチを設けるとともに、前記遮光板に前記第１のスイッチおよび前記第２のスイッチをオンにするための押圧部を設け、前記遮光板を前記器具本体に装着した際には前記第１のスイッチおよび前記第２のスイッチはオンとなって前記ランプに電力を供給し、前記遮光板を前記器具本体から取り外した際には前記第１のスイッチおよび前記第２のスイッチがオフとなって電力の供給を停止し、前記押圧部は、前記遮光板の内壁に設けられた、一つの幅広の押圧片であり、前記遮光板が前記器具本体に装着された状態において、前記一つの幅広の押圧片は、その弾性力でもって前記第１のスイッチおよび前記第２のスイッチを押圧する構成を有している。
【０００６】
この構成により、光源が取り付けられる器具本体の前方に着脱可能に設けられているカバー部材が、器具本体に取り付けた状態では、カバー部材に設けられている押圧部がスイッチを押圧するので、スイッチはオン状態となり、光源に電力を供給可能となる。一方、カバー部材を取り外すと、カバー部材の押圧部がスイッチから離反するので、オフ状態となり、光源への電力供給を確実に停止することができる。
この構成により、カバー部材を取付けると、カバー部材の内壁に設けた突出部がスイッチを押圧してオンとする。カバー部材を取り外すと、突出部がスイッチから離反するので、スイッチはオフとなる。
この構成により、カバー部材を取り付けた状態では、突出部はスイッチに当接して弾性変形しており、その弾性力でスイッチを押圧するので、カバー部材を取り付けたときには、確実にスイッチを押圧することができる。
【発明の効果】
【００１１】
本発明は、光源が取り付けられる器具本体の前方に着脱可能に設けられているカバー部材が、器具本体に取り付けた状態では、カバー部材に設けられている押圧部がスイッチを押圧するので、スイッチはオン状態となり、光源に電力を供給可能となる。一方、カバー部材を取り外すと、カバー部材の押圧部がスイッチから離反するので、オフ状態となり、光源への電力供給を確実に停止することができるという効果を有する照明器具を提供することができるものである。
【発明を実施するための最良の形態】
【００１２】
以下、本発明の実施の形態の照明器具について、図面を用いて説明する。
図１（Ａ）は本発明の実施形態にかかる照明器具の平面図、図１（Ｂ）は同じく正面図、図１（Ｃ）は同じく側面図、図２（Ａ）はカバー部材を取り付けた状態を示す断面図、図２（Ｂ）はカバー部材を取り外した状態を示す断面図、図３（Ａ）は遮光板を取り付けたときの回路図、図３（Ｂ）は遮光板を外したときの回路図、図４（Ａ）は遮光板の断面図、図４（Ｂ）は（Ａ）中Ｂ方向から見た背面図である。
【００１３】
図１および図２に示すように、本発明にかかる照明器具１０は、光源として両端に口金２１ａを有する白熱灯ランプ（以後、単に「ランプ」と言う。）２１が取り付けられる器具本体２０と、器具本体２０の前方（図２において右方向）にカバー部材である遮光板３０を着脱可能に有している。
【００１４】
器具本体２０は、縦板２０ａと横板２０ｂとから断面Ｌ字形状に形成されており、縦壁２０ａを垂直な壁１１に取り付けて使用される。器具本体２０の横板２０ｂ上には、複数のソケット２２が所定間隔で配置されており、電源２３と直列で接続されている。また、器具本体２０の横板２０ｂにおける中央部分には、１対のスイッチ２５、２５を有するスイッチブロック２６が設けられている。図３（Ａ）および（Ｂ）に示すように、１対のスイッチ２５、２５は、回路上はソケット２２と電源２３との間に２箇所設けられている。
【００１５】
図２に示すように、各スイッチ２５は、常時前方に付勢されているスイッチ片２５ａを有しており、図２（Ａ）に示すように、スイッチ片２５ａがスイッチ本体側に押圧された状態でスイッチオンとなって導通する（図３（Ａ）参照）。一方、図２（Ｂ）に示すように、スイッチ片２５ａが、その弾性力によってスイッチ本体から離れると、スイッチオフとなって、電源を断つ（図３（Ｂ）参照）。
【００１６】
図２および図４に示すように、遮光板３０は、器具本体２０の横板２０ｂに載置される支持部３１と、この支持部３１から上方に折曲形成されている立壁部３２と、縦壁部３２の上方からランプ２１を覆うように斜めに設けられている反射板３３とを有している。縦壁部３２の内面には、スイッチ２５のスイッチ片２５ａを押圧する押圧部としての押圧片３４がねじ３４ａにより取り付けられている。
【００１７】
押圧片３４は弾性部材であり、遮光板３０を器具本体２０の取り付けた状態では、押圧片３４の弾性力よりスイッチ片２５ａを押圧してスイッチオンとする。押圧片３４は、スイッチブロック２６に設けられている１対のスイッチ２５、２５を同時に押圧可能であるとともに、遮光板３０を器具本体２０に取り付ける際のスライド量を考慮した、幅広の部材となっている（図４（Ｂ）参照）。なお、遮光板３０を取り外した状態では、立壁部３２の内面から一定量突出した状態を保持している（図２（Ｂ）参照）。
【００１８】
また、図１（Ａ）に示すように、支持部３１には、器具本体２０の横板２０ｂに取り付けられている取付ねじ２７の頭部か通過可能な拡径部と、頭部は通過できないがねじ部は通過できる幅狭部とからなる取付孔３１ａが設けられている。
【００１９】
従って、図１に示すように、遮光板３０を器具本体２０に取り付ける場合には、遮光板３０の支持部３１に設けられている取付孔３１ａの拡径部に、器具本体２０の取付ねじ２７の頭部を通すとともに、縦壁部３２の押圧片３４によりスイッチ２５のスイッチ片２５ａを押圧する。スイッチ片２５ａを押圧されたスイッチ２５はスイッチオン（図３（Ａ）参照）となり、ソケット２２に電力が供給可能となり、別途設けられている点灯スイッチ（図示省略）をオンとすることによりランプ２１が点灯する。
【００２０】
そして、押圧片３４によりスイッチ片２５ａを押圧した状態のまま、遮光板３０を器具本体２０に対して図１中矢印Ａ方向にスライドさせる。このとき、器具本体２０の横板２０ｂの端部に設けられているストッパ２８に、遮光板３０の端部に設けられているエンドプレート３５が当接することにより、それ以上遮光板３０がスライドしないようにしている。その後、取付ねじ２７を締め付けることにより、取り付けることができる。
【００２１】
一方、遮光板３０を取り外す際は、点灯スイッチ（図示省略）をオフにした状態で、前述した取り付け工程を逆に行うことで取り外すことができる。遮光板３０を器具本体２０から取り外すと、スイッチ２５のスイッチ片２５ａがその弾性力によりスイッチ本体から離脱して、スイッチオフとなる（図３（Ｂ）参照）。
【００２２】
以上、説明した本発明にかかる照明器具１０によれば、ランプ２１が取り付けられる器具本体２０の前方に着脱可能に設けられている遮光板３０が、器具本体２０に取り付けた状態では、遮光板３０に設けられている押圧片３４がスイッチ２５のスイッチ片２５ａを押圧するので、スイッチ２５はオン状態となり、ランプ２１を装着したソケット２２に電力を供給可能となる。一方、遮光板３０を取り外すと、遮光板３０の押圧片３４がスイッチ片２５ａから離反するので、オフ状態となり、ソケット２２への電力供給を確実に停止することができる。
【００２３】
また、電源２３とソケット２２間を接続する両側の接続線に１対のスイッチ２５、２５を設けたので、確実に電力供給を断つことができる。さらに、両スイッチ２５、２５を同じ押圧片３４により操作するので、１対のスイッチ２５、２５を確実に操作することができる。
【００２４】
なお、本発明の照明器具は、前述した実施形態に限定されるものでなく、適宜な変形，改良等が可能である。
【図面の簡単な説明】
【００２５】
【図１】（Ａ）は本発明の実施形態にかかる照明器具の平面図、（Ｂ）は同じく正面図、（Ｃ）は同じく側面図
【図２】（Ａ）はカバー部材を取り付けた状態を示す断面図、（Ｂ）はカバー部材を取り外した状態を示す断面図
【図３】（Ａ）は遮光板を取り付けたときの回路図、（Ｂ）は遮光板を外したときの回路図
【図４】（Ａ）は遮光板の断面図、（Ｂ）は（Ａ）中Ｂ方向から見た背面図
【図５】従来のカバーつき照明を用いた例を示す断面図
【図６】両端口金の白熱灯ランプのソケットへの着脱を示す正面図
【図７】従来の問題点を示す説明図
【符号の説明】
【００２６】
１０  照明器具
２０  器具本体
２１  両端口金の白熱ランプ（光源）
２５  スイッチ
３０  遮光板（カバー部材）
３４  押圧片（押圧部）
【図１】
0005172470.tif 000002
【図２】
0005172470.tif 000003
【図３】
0005172470.tif 000004
【図４】
0005172470.tif 000005
【図５】
0005172470.tif 000006
【図６】
0005172470.tif 000007
【図７】
0005172470.tif 000008